(57)【要約】  設備機器が設置される施設のフロアの平面図（ＭＰ１）と、当該フロアにレイアウトされた室内機（２１〜２５）等の機器を、表示装置に同時に表示する。このとき表示装置に表示されるタイムライン（ＴＬ）を操作することにより、ユーザは、フロアに設置された室内機（２１〜２５）の運転状況の遷移を、当該室内機（２１〜２５）のレイアウトともに確認することができる。これにより、ユーザは、設備機器システムを構成する機器に異常が発生した場合に、面倒な操作をすることなく、各機器の運転状況を比較し確認することができ、迅速に異常の原因を特定することが可能となる。
2013171889.tif 000002
【特許請求の範囲】
【請求項１】
施設で利用される機器の運転履歴を記憶する記憶手段と、
前記記憶手段に記憶された前記運転履歴を、前記施設における前記機器のレイアウトとともに表示する表示手段と、
を備える管理システム。
【請求項２】
前記運転履歴は、前記機器の設定温度、出力、運転状態の履歴を含む請求項１に記載の管理システム。
【請求項３】
前記表示手段は、前記機器に関する情報を、前記レイアウトとともに表示する請求項１又は２に記載の管理システム。
【請求項４】
前記機器に関する情報は、前記機器の識別情報、設置位置、機種、属性を含む請求項３に記載の管理システム。
【請求項５】
前記機器に関する情報は、前記機器に接続される配管の種類、敷設距離を含む請求項３又は４に記載の管理システム。
【請求項６】
前記機器に関する情報は、前記機器に接続される通信線の種類、敷設距離を含む請求項３乃至５のいずれか一項に記載の管理システム。
【請求項７】
前記表示手段は、前記運転履歴を時系列的に表示する請求項１乃至６のいずれか一項に記載の管理システム。
【請求項８】
前記表示手段は、前記施設のフロアの平面図と、前記平面図に含まれる前記機器の前記運転履歴とを表示する請求項１乃至７のいずれか一項に記載の管理システム。
【請求項９】
施設で利用される機器の運転履歴を記憶する工程と、
記憶された前記運転履歴を、前記施設での前記機器のレイアウトとともに時系列的に表示する工程と、
を含む機器の状態を表示するための表示方法。
【請求項１０】
コンピュータに、
施設で利用される機器の運転履歴を記憶する手順と、
記憶された前記運転履歴を、前記施設での前記機器のレイアウトとともに時系列的に表示する手順と、
を実行させるためのプログラム。
【発明の詳細な説明】
【技術分野】
【０００１】
本発明は、管理システム、表示方法及びプログラムに関し、さらに詳しくは、施設に設置された設備機器を管理する管理システム、施設に設置された機器の運転状況を表示するための表示方法及びプログラムに関する。
【背景技術】
【０００２】
オフィスビルや店舗などの大規模な施設に設置される設備機器は、ネットワークを介して相互に接続され、リモコンや制御機器などによって集中的に管理される。分散配置された設備機器を集中的に管理することで、各設備機器を、施設の利用状況に応じて効率的に運用することが可能となる。【０００３】
この種のシステムでは、システムの状態が常時監視されており、当該システムの運転状態や運転履歴については、制御機器のモニタを使って確認することができる。例えば、特許文献１に開示された管理装置では、ビルに設置された設備が常時監視される。そして、設備の異常が検出された場合には、異常の内容が表示装置に表示される。これにより、当該設備のユーザは、異常の発生及びその内容を、容易に特定することができる。
【先行技術文献】
【特許文献】
【０００４】
【特許文献１】特開２００３−０９９８８２号公報
【発明の概要】
【発明が解決しようとする課題】
【０００５】
近年、地球温暖化や、世界規模で進行する経済産業の発展にともない、ＣＯ２排出量の削減、或いはエネルギー消費量の削減を目的とする取り組みが重要視されている。その結果、設備機器はますます多機能化し、それとともに、１台の制御機器が管理する設備機器の数や情報の量も年々増加している。【０００６】
したがって、万が一設備に異常が発生したとすると、ユーザは、膨大な量の履歴を解析して、故障箇所や故障原因を特定する必要がある。【０００７】
本発明は、上述の事情の下になされたもので、設備機器のレイアウトと、当該機器の運転履歴を関連づけて表示することにより、システムの異常の原因を特定するための作業を簡易化し、当該設備を管理するユーザの作業負荷を低減することを目的とする。
【課題を解決するための手段】
【０００８】
上記目的を達成するため、本発明に係る管理システムは、施設で利用される機器の運転履歴を記憶する記憶手段と、記憶手段に記憶された運転履歴を、施設における機器のレイアウトとともに表示する表示手段と、を備える。
【発明の効果】
【０００９】
本発明によれば、機器の運転履歴が、当該機器のレイアウトとともに表示される。これにより、機器のユーザは、機器の運転履歴と機器のレイアウトとを同時に確認することができ、結果的に簡単にシステムの異常の原因を特定したり、運転状況を把握することができる。
【図面の簡単な説明】
【００１０】
【図１】本実施形態に係る管理システムのブロック図である。
【図２】設備機器システムを構成する各機器の配置図である。
【図３】設備管理装置のブロック図である。
【図４】補助記憶部に記憶される情報を示す図である。
【図５】フロアの平面図である。
【図６】運転状態を示す情報を模式的に示す図である。
【図７】アクセス権の制限ルールの一例を表すテーブルを示す図である。
【図８】表示部に表示される画像を示す図である。
【図９】機器情報の表示形態を説明するための図である。
【図１０】情報閲覧ウインドを示す図である。
【発明を実施するための形態】
【００１１】
以下、本発明の一実施形態を、図面を参照しつつ説明する。図１は、本実施形態に係る管理システム１００にブロック図である。この管理システム１００は、オフィスビル等の商業施設に設置される機器を管理するためのシステムである。図１に示されるように、管理システム１００は、設備管理装置１０、設備機器システム２０、設備管理装置１０にインターネット４０を介して接続されるサーバ３０を有している。
【００１２】
設備機器システム２０は、室内機２１〜２５、これらの室内機２１〜２５を操作するためのリモコン２６、及び室外機２７を有している。
【００１３】
図２は、設備機器システム２０を構成する各機器の配置図である。図２に示されるように、設備機器システム２０は、５つのフロア１Ｆ〜５Ｆを有する５階建てのオフィスビル９０に設置されている。本実施形態では、フロア１Ｆの天井には室内機２１１〜２５１が設置されている。フロア２Ｆの天井には室内機２１２〜２５２が設置されている。
フロア３Ｆの天井には室内機２１３〜２５３が設置されている。フロア４Ｆの天井には室内機２１４〜２５４が設置されている。フロア５Ｆの天井には室内機２１５〜２５５が設置されている。また、オフィスビル９０の屋上には、室外機２７が設置されている。
【００１４】
図１を参照するとわかるように、各フロアに設置された室内機２１〜２５は、それぞれ対応するリモコン２６によって操作可能となっている。各フロアを利用するユーザは、当該リモコン２６を介して、各室内機２１〜２５の運転、停止、温度の設定、出力の設定等を行うことができる。
【００１５】
室内機２１〜２５それぞれと室外機２７は、冷媒が循環する配管２８によって相互に接続されている。そして、室内機２１〜２５では、配管２８を循環する冷媒と室内の空気との間で熱交換が行われ、室外機２７では、配管２８を循環する冷媒と外気との間で熱交換が行われる。これにより、各フロア１Ｆ〜５Ｆの空気と外気との間の熱交換が行われ、オフィスビル９０の各フロア１Ｆ〜５Ｆの空調が実現する。
【００１６】
図３は、設備管理装置１０のブロック図である。図３に示されるように、設備管理装置１０は、ＣＰＵ（Central Processing Unit）１１、主記憶部１２、補助記憶部１３、表示部１４、入力部１５、インタフェース部１６、及び上記各部を相互に接続するシステムバス１７を有するコンピュータである。
【００１７】
主記憶部１２は、ＲＡＭ（Random Access Memory）等を含んで構成され、ＣＰＵ１１の作業領域として用いられる。
【００１８】
補助記憶部１３は、ＲＯＭ（Read Only Memory）、磁気ディスク、半導体メモリ等の不揮発性メモリを含んで構成されている。この補助記憶部１３は、ＣＰＵ１１が実行するプログラム、及び各種パラメータなどを記憶している。また、設備機器システムを構成する各機器についての機器情報等を記憶している。
【００１９】
図４は、補助記憶部１３に記憶される情報を模式的に示す図である。図４に示されるように、補助記憶部１３には、物件名、フロア情報が記憶されている。
【００２０】
物件名とは、設備機器システム２０が設置されたオフィスビルの名称や、商業施設の名称である。
【００２１】
フロア情報は、フロア平面図、フロア入力情報、システム通知情報から構成される。そして、当該フロア情報を構成するフロア平面図は、オフィスビル９０の各フロアの平面図を規定する画像情報である。図５は、フロア１Ｆの平面図ＭＰ１である。図５を参照するとわかるように、平面図ＭＰ１には、フロア１Ｆを区画して３つの空間ＳＰ１，ＳＰ２，ＳＰ３を規定する外壁及び内壁と、フロア１Ｆに配置された机やキャビネットなどの家具類が表示されている。また、この平面図ＭＰ１では、図５に示されるように、左下のコーナーを原点とするＸＹ座標系が規定されている。したがって、平面図ＭＰ１上の位置は座標（ｘ，ｙ）で特定することができる。
【００２２】
本実施形態では、オフィスビル９０の各フロア１Ｆ〜５Ｆの平面図、及び屋上の平面図についての画像情報が、予め補助記憶部１３に記憶されている。
【００２３】
フロア入力情報は、異常対応作業情報、通信線情報、冷媒配管情報から構成されている。そして、異常対応作業情報は、作業日、作業者ＩＤ、作業内容メモから構成されている。この異常対応作業情報は、設備機器システム２０のユーザによって入力される。
【００２４】
作業日は、上記復旧作業を行った日や期間を特定するための情報であり、例えば「２０１０年○月○日」或いは「２０１０年○月○日〜○月○日」といったように、作業日、或いは作業期間を特定するために十分な情報である。
【００２５】
作業者ＩＤは、設備機器システム２０を保守管理する作業者に個別に割り当てられた識別情報である。この識別情報に基づいて、復旧作業を行った作業者の名前、所属等を特定することができる。
【００２６】
作業内容メモは、例えば室内機２１〜２５或いは室外機２７が故障したときに、当該故障した機器を復旧するために要した作業の内容である。具体的には、「冷却ファンの交換」、「破損した冷媒配管の交換」といったように、復旧作業の内容を特定するための情報である。
【００２７】
通信線情報は、配線位置、線長、線種を示す情報から構成され、それぞれの情報は、設備機器システム２０の設置工事完了時に、設備機器システム２０の供給元や、保守管理者によって入力される。
【００２８】
室内機２１〜２５、室外機２７、設備管理装置１０は、図１に示されるように、通信線によって相互に接続されている。上述の配線位置とは、機器相互間を接続する通信線の敷設経路を特定するための情報である。この配線位置は、フロア平面図における位置を特定する情報であり、通信線の始点の座標（ｘ１，ｙ１）と終点の座標（ｘ２，ｙ２）をいう。例えば、図５に示されるように、室内機２１１と室内機２２１との間に敷設された通信線２９については、室内機２１１の座標（ｘ２１，ｙ２１）と、室内機２２１の座標（ｘ２２，ｙ２２）が配線位置を示す情報として記憶される。
【００２９】
線長とは、通信線自体の長さを示す情報である。具体的には、図５に示されるように、室内機２１１から室内機２２１へ敷設された通信線２９の長さ示す情報である。また、線種とは、当該通信線の用途、外径等の情報をいう。
【００３０】
図４に戻り、冷媒配管情報は、配管位置、管長、管種を示す情報から構成され、それぞれの情報は、設備機器システム２０の設置工事完了時に、設備機器システム２０の供給元や、保守管理者によって入力される。
【００３１】
室内機２１〜２５、室外機２７は、図２に示されるように、配管２８によって相互に接続されている。上述の配管位置とは、機器相互間を接続する配管２８の敷設経路を特定するための情報である。この配管位置は、フロア平面図における位置を特定する情報であり、配管２８の始点の座標（ｘ３，ｙ３）と終点の座標（ｘ４，ｙ４）をいう。例えば、図５に示されるように、室内機２１１と室内機２２１との間に敷設された配管２８については、室内機２１１の座標（ｘ２１，ｙ２１）と、室内機２２１の座標（ｘ２２，ｙ２２）が配線位置を示す情報として記憶される。
【００３２】
配管長とは、配管２８自体の長さを示す情報である。具体的には、図５に示されるように、室内機２１１から室内機２２１へ敷設された配管２８の長さを示す情報である。また、管種とは、配管を流れる冷媒の向き、外径等の情報をいう。
【００３３】
図４に戻り、システム通知情報は、設備器機器情報と外部情報とから構成されている。設備機器情報は、設備機器システム２０を構成する各機器について情報であり、設備機器ＩＤ、機種、設置位置、グループＩＤ、運転状態、操作内容を示す情報から構成されている。
【００３４】
設備機器ＩＤは、アルファベットや数字から構成されるコードであり、機器ごとに割り当てられている。設備管理装置１０は、設備機器システム２０との通信を行う際に、この識別コードに基づいて、各室内機２１〜２５、及び室外機を認識する。
【００３５】
機種とは、機器が室内機であるか室外機であるかを示す情報、機器の製造メーカ、機器のスペック等を特定するための情報である。この機種情報は、機器ごとに割り当てられている。
【００３６】
設置位置とは、機器が設置されるフロアを特定するための情報や、フロア内で機器の位置を特定するための情報である。機器については、図５に示されるように、フロアの一角を原点としたＸＹ座標系を基準とする座標（ｘ，ｙ）をいう。この設置位置を示す情報を用いると、図５に示されるように、フロア１Ｆにレイアウトされた室内機２１１〜２５１を、フロア１Ｆの平面図ＭＰ１に重ねて、表示することが可能となる。
【００３７】
グループＩＤとは、室内機２１〜２５から構成されるグループを特定するための情報である。このグループＩＤは、各室内機２１〜２５に割り当てられている。
【００３８】
図５を参照するとわかるように、本実施形態では、フロア１Ｆの区画ＳＰ１に設置される室内機２１１〜２３１が１つのグループを構成し、区画ＳＰ２，ＳＰ３に設置される室内機２４１，２５１はグループを構成しない。上記グループを第１グループとすると、室内機２１１〜２３１には、当該室内機２１１〜２３１が第１グループに属することを示すグループＩＤが割り当てられる。また、室内機２４１，２５１には、当該室内機２４１，２５１が第１グループに属さないことを示すグループＩＤが割り当てられる。
【００３９】
設備管理装置１０は、室内機２１１〜２５１との通信によって得たグループＩＤから、各室内機２１１〜２３１が共通するグループに属することを認識することができる。
【００４０】
また、リモコン２６１による操作では、共通のグループに属する室内機２１１〜２３１が統括的に操作される。具体的には、リモコン２６１による温度の設定、出力の設定が、室内機２１１〜２３１のいずれかになされると、室内機２１１〜２３１それぞれは、共通の設定温度、出力で運転される。
【００４１】
他のフロア２Ｆ〜５Ｆに設置される室内機についても、同様にグループＩＤが規定されている。
【００４２】
以上説明した、機種、設置位置、グループＩＤについての情報は、設備機器システム２０の設置工事完了時に、設備機器システム２０の供給元や、保守管理者によって入力される。
【００４３】
運転状態とは、機器の運転状態を示す情報である。図６は、運転状態を示す情報を模式的に示す図である。図６に示されるように、運転状態は、機器の状態と日時とを示す情報からなる。機器の状態を示す情報は、室内機２１〜２５の設定温度、冷房運転中であるか暖房運転中であるかを特定するための情報、運転中であるか停止中であるかを特定するための情報等である。これらの情報は、図６を参照するとわかるように、時系列的に記憶される。時系列的に記憶された機器の状態を示す情報、及び日時を示す情報は、当該室内機２１〜２５の運転履歴を示す情報となる。
【００４４】
図４に戻り、操作内容とは、リモコン２６を介して入力されたユーザからの指令を示す情報である。この情報は、ユーザによって設定された温度、選択された運転モードを特定するための情報である。
【００４５】
以上説明した、運転状態、操作内容は、各室内機２１〜２５から出力され、補助記憶部１３に順次蓄積される情報である。
【００４６】
外部情報は、天気、風速を示す情報から構成されている。天気とは、設備機器システム２０が設置されたオフィスビル９０が位置するところの天気を示す情報である。また、風速とは、設備機器システム２０が設置されたオフィスビル９０が位置するところの風速を示す情報である。これらの情報は、インターネット４０を介して、外部から取得される。そして、補助記憶部１３に、時系列手的に記憶される。
【００４７】
図３に戻り、表示部１４は、ＬＣＤ（Liquid Crystal Display）を有し、ＣＰＵ１１の処理結果等を表示する。
【００４８】
入力部１５は、キーボードやマウス等のポインティングデバイスからなるユーザインタフェースを有している。ユーザ等の指示は、この入力部１５を介して入力され、システムバス１７を経由してＣＰＵ１１に通知される。
【００４９】
インタフェース部１６は、設備機器システム２０、及びインターネット４０との通信インタフェースを備えている。設備機器システム２０を構成する室内機２１〜２５、及び室外機２７は、インタフェース部１６を介してシステムバス１７に接続される。
【００５０】
サーバ３０は、設備管理装置１０と同様に、ＣＰＵ、主記憶部、補助記憶部、表示部、入力部、及びインタフェース部を有するコンピュータである。このサーバ３０は、設備管理装置１０との通信により、図４に示される情報を取得する。そして、取得した情報を、時系列的に蓄積する。これにより、当該オフィスビル９０、及び他の施設に設置された設備機器システム２０の監視、或いは保守管理を一元的に行うことが可能となる。
【００５１】
また、当該サーバ３０と設備管理装置１０の双方は、インターネット４０に接続されている。このため、オフィスビル９０に設置された設備機器システム２０の運転状態、及び運転履歴は、遠隔からも監視、保守点検することができる。しかしながら、管理システム１００のセキュリティの観点から、設備管理装置１０、及びサーバ３０へのアクセス権には、一定の制限が設けられている。
【００５２】
図７には、アクセス権の制限ルールの一例を表すテーブルが示されている。図７に示されるように、本実施形態では、ユーザによって、フロア情報の閲覧、フロア情報の編集、異常コードの閲覧が制限される。例えば、故障などの異常が発生した機器を特定するための異常コードの閲覧は、すべてのユーザに許可される。一方で、フロアに設置された機器を監視するために必要なフロア情報を閲覧する権限や、機器の運転履歴の編集や削除を行うためのフロア情報の編集権限は、設備機器の管理者、供給元等、特定の者に対してのみに許可される。
【００５３】
次に、上述のように構成された、管理システム１００の使用方法について説明する。管理システム１００のユーザは、例えば、設備管理装置１０の入力部１５を介して、ＣＰＵ１１に、フロア１Ｆに設置される機器の履歴情報の表示を指示する。これにより、表示部１８には、図８に示される画像ＰＨが表示される。
【００５４】
図８は、フロア１Ｆに設置される室内機２１１〜２５１がレイアウトされた平面図ＭＰ１と、タイムラインＴＬと、画像ＰＨについての補足事項ＮＴから構成されている。
【００５５】
室内機がレイアウトされた平面図ＭＰ１は、補助記憶部１３に記憶された画像情報と、当該平面図ＭＰ１における室内機２１１〜２５１の座標（ｘ，ｙ）から生成される。この平面図ＭＰ１には、例えば図５に示されるように、配管２８、通信線２９も必要に応じてレイアウトされた状態で表示される。
【００５６】
タイムラインＴＬは、室内機２１１〜２５１の運転履歴を時系的に表示させるためのものである。このタイムラインＴＬは、年、月、日、時、分を示す５つのラインから構成されている。タイムラインＴＬの５つのラインは、ボタンｂ２が押下されると、タイムラインＴＬに重ねて表示される基準マークＳＭに対して、相対的に送られる。そして、ボタンｂ１，ｂ４が押下されると、基準マークＳＭに対して、相対的にラインが早戻しされ、或いは早送りされる。また、ボタンｂ３が押下されるとラインは停止する。
【００５７】
ユーザは、マウス等のポインティングデバイスを使って、ボタンｂ１〜ｂ４を操作することによりタイムラインＴＬを動かして、所望の時刻を基準マークＳＭに一致させることで、当該時刻での室内機２１１〜２５１の運転状況を、表示部１４に表示させることができる。室内機２１１〜２５１の運転状態の表示は、例えば平面図ＭＰ１にレイアウトされた室内機２１１〜２５１に重ねて、図９に示されるように、運転モード、設定温度等を表示することにより行われる。
【００５８】
また、図８に示されるように、室内機２１１〜２５１に異常が発生している場合には、平面図ＭＰ１にレイアウトされた室内機２１１〜２５１を示すアイコンの色や塗りつぶしパターンが変更される。タイムラインＴＬ上に示されるマークｍ１〜ｍ５は、タイムラインＴＬを構成するラインとともに移動するマークである。これらのマークｍ１〜ｍ５は、当該マークｍ１〜ｍ５と重なる時刻に、室内機２１１〜２５１のいずれかに異常が発生したことを示している。
【００５９】
ユーザは、ボタンｂ１〜ｂ４を操作することによりタイムラインＴＬを動かしてマークｍ１〜ｍ５を、基準マークＳＭに一致させることで、当該時刻で異常が発生した室内機２１１〜２５１を、表示させることができる。例えば、マークｍ１〜ｍ５を、基準マークＳＭに一致させたときに、図８に示されるように、室内機２２１，２５１の塗りつぶしパターンが変わった場合には、ユーザは、基準マークＳＭによって示される時刻に、室内機２２１，２５１に異常が発生したことを確認することができる。
【００６０】
また、ユーザは、例えば画面に表示される室内機２１１〜２５１を示すアイコンや、配管２８を示すアイコン、或いは通信線２９を示すアイコンをクリックすることで、対応する室内機２１１〜２５１等の機器についての情報を表示させることができる。具体的には、表示部１４に示される所望のアイコンをクリックすると、図１０に示される情報閲覧ウインドＷがポップアップして、対応する機器についての情報を閲覧することが可能となる。この情報閲覧ウインドＷに示される情報は、タイムラインＴＬのよって規定される時刻における情報であり、その内容は図４に示される情報の内容と等価である。
【００６１】
また、ユーザは、各フロア２Ｆ〜５Ｆについても、図８に示される画面に類する画面を表示部１４に表示させることができる。そして、同様に、各フロア２Ｆ〜５Ｆに配置された機器の履歴を、表示部１４に表示させることができる。
【００６２】
以上説明したように、本実施形態では、図５に示されるように、表示部１４に、オフィスビル９０のフロアについての平面図ＭＰ１と、当該フロアにレイアウトされた機器が同時に表示される。そして、ユーザは、タイムラインＴＬを操作することで、フロアに設置された複数の機器の運転状況の遷移を、当該機器のレイアウトともに確認することができる。
【００６３】
したがって、設備機器システム２０を構成する室内機や室外機に異常が発生した場合には、各機器についての運転履歴を個別に調べて、機器相互間で比較するような面倒な操作をすることなく、各機器の運転状況を比較し確認することができる。その結果、本管理システム１００のユーザは、簡単に異常の原因を特定することが可能となる。
【００６４】
本実施形態では、画像ＰＨに示されるアイコンがクリックされると、当該アイコンに対応する機器についての情報を表示する情報閲覧ウインドＷがポップアップする。このため、所望の機器についての情報を簡単に確認することができる。したがって、異常の原因を特定するための作業の効率を向上させるとともに、ユーザの作業負荷を低減することが可能となる。
【００６５】
本実施形態では、機器だけではなく、当該機器に接続される配管２８、通信線２９の敷設状況、配線長或いは配管長、線種或いは管種も、当該機器のレイアウトとともに確認することができる。これにより、異常の原因が室内機や室外機以外にあったとしても、当該故障の原因の推定が容易になる。
【００６６】
また、当該機器に接続される配管２８、通信線２９の敷設状況、配線長或いは配管長、線種或いは管種を確認することで、異常を復旧するための作業の準備を迅速かつ容易に行うことができる。
【００６７】
本実施形態では、設備機器システム２０を構成する各機器についての情報が、インターネット４０に接続されたサーバ３０に送信され、当該サーバ３０に蓄積される。このため、オフィスビル９０に設置された設備機器システム２０の運転状態、及び運転履歴を、遠隔からも一元的に監視、保守点検することができる。また、異常に対処するためのノウハウの共有も容易になる。なお、管理システム１００では、サーバ３０へのアクセス権限が設定されているため、セキュリティ上問題になることはない。
【００６８】
本実施形態では、作業者を特定するための作業者ＩＤが、平面図ＭＰ１とともに表示される。これにより、過去の異常の復旧作業を行った作業者を容易に特定することができる。したがって、異常についてのヒアリングや、原因のフィードバックが容易になる。
【００６９】
以上、本発明の実施形態について説明したが、本発明は上記実施形態によって限定されるものではない。例えば、上記実施形態では、例えば図９に示されるように、平面図ＭＰ１にレイアウトされた室内機２１〜２５とともに、運転モードと設定温度を表示することとした。しかしながら、ここで表示する情報は任意であり、例えば室内の温度や外気温度等、他の情報を選択的に表示することとしてもよい。
【００７０】
上記実施形態では、図８に示されるように、表示部１４に１つのフロアの平面図ＭＰ１と、当該フロアにレイアウトされた機器が表示されることとした。これに限らず、表示部１４には、複数の配置図が表示されることとしてもよい。
【００７１】
上記実施形態では、設備機器システム２０が、オフィスビル９０に設置される場合について説明した。これに限らず、設備機器システム２０は、その他の商業施設に設置されてもよい。また、本発明は、施設のフロアの数、室内機の数或いは室外機の数によって限定されるものではない。
【００７２】
上記実施形態では、設備機器システム２０が、室内機と室外機とから構成される空調装置である場合について説明した。設備機器システム２０は、室内機と室外機以外の装置を備えていてもよい。また、照明システムのように、オフィスビル等に分散配置される機器を有するシステムであってもよい。
【００７３】
上記実施形態に係る設備管理装置１０は、専用のハードウエアによっても、通常のコンピュータシステムによっても実現することができる。
【００７４】
上記実施形態では、設備管理装置１０の補助記憶部１３にプログラムが記憶されていることとしたが、当該プログラムを、フレキシブルディスク、ＣＤ−ＲＯＭ（Compact Disk Read-Only Memory）、ＤＶＤ（Digital Versatile Disk）、ＭＯ（Magneto-Optical disk）等のコンピュータで読み取り可能な記録媒体に格納して配布し、そのプログラムをコンピュータにインストールすることにより、上述の処理を実行する設備管理装置１０を構成することとしてもよい。
【００７５】
本発明は、本発明の広義の精神と範囲を逸脱することなく、様々な実施形態及び変形が可能とされるものである。また、上述した実施形態は、本発明を説明するためのものであり、本発明の範囲を限定するものではない。つまり、本発明の範囲は、実施形態ではなく、特許請求の範囲によって示される。そして、特許請求の範囲内及びそれと同等の発明の意義の範囲内で施される様々な変形が、本発明の範囲内とみなされる。
【産業上の利用可能性】
【００７６】
本発明の管理システムは、設備機器の管理に適している。本発明の表示方法及びプログラムは、設備機器の運転状況の表示に適している。
【符号の説明】
【００７７】
１０  設備管理装置
１１  ＣＰＵ
１２  主記憶部
１３  補助記憶部
１４  表示部
１５  入力部
１６  インタフェース部
１７  システムバス
１８  表示部
２０  設備機器システム
２１〜２５  室内機
２６  リモコン
２７  室外機
２８  配管
２９  通信線
３０  サーバ
４０  インターネット
９０  オフィスビル
１００  管理システム
１Ｆ〜５Ｆ  フロア
ＭＰ１  平面図
ＮＴ  補足事項
ＰＨ  画像
ＳＭ  基準マーク
ＳＰ１〜ＳＰ３  区画
ＴＬ  タイムライン
Ｗ  情報閲覧ウインド
ｂ１〜ｂ４  ボタン
ｍ１〜ｍ５  マーク
【図１】
2013171889.tif 000003
【図２】
2013171889.tif 000004
【図３】
2013171889.tif 000005
【図４】
2013171889.tif 000006
【図５】
2013171889.tif 000007
【図６】
2013171889.tif 000008
【図７】
2013171889.tif 000009
【図８】
2013171889.tif 000010
【図９】
2013171889.tif 000011
【図１０】
2013171889.tif 000012
【手続補正書】
【提出日】平成26年9月26日(2014.9.26)
【手続補正１】
【補正対象書類名】明細書
【補正対象項目名】０００７
【補正方法】変更
【補正の内容】
【０００７】
本発明は、上述の事情の下になされたもので、過去の時刻における機器の運転状態を、機器のレイアウトとともに表示することにより、システムの異常の原因を特定するための作業を簡易化し、当該設備を管理するユーザの作業負担を低減することを目的とする。
【手続補正２】
【補正対象書類名】明細書
【補正対象項目名】０００８
【補正方法】変更
【補正の内容】
【０００８】
上記目的を達成するため、本発明に係る管理システムは、施設で利用される機器の運転状態の履歴を記憶する記憶手段と、記憶手段に記憶された運転状態の履歴に基づいて、過去の時刻における機器の運転状態を、施設における機器のレイアウトとともに表示する表示手段と、を備える。
【手続補正３】
【補正対象書類名】明細書
【補正対象項目名】０００９
【補正方法】変更
【補正の内容】
【０００９】
本発明によれば、過去の時刻における機器の運転状態が、当該機器のレイアウトとともに表示される。これにより、機器のユーザは、過去の時刻における機器の運転状態と機器のレイアウトとを同時に確認することができ、結果的に簡単にシステムの異常の原因を特定したり、運転状況を把握したりすることができる。
【手続補正４】
【補正対象書類名】特許請求の範囲
【補正対象項目名】全文
【補正方法】変更
【補正の内容】
【特許請求の範囲】
【請求項１】
施設で利用される機器の運転状態の履歴を記憶する記憶手段と、
前記記憶手段に記憶された運転状態の履歴に基づいて、過去の時刻における前記機器の運転状態を、前記施設における前記機器のレイアウトとともに表示する表示手段と、
を備える管理システム。
【請求項２】
前記表示手段は、前記機器に異常が発生した時刻を明示するタイムラインをさらに表示し、
前記過去の時刻は、前記タイムライン上で明示され、ユーザ操作により指定される請求項１に記載の管理システム。
【請求項３】
前記過去の時刻は、ユーザ操作に応答して、時間の経過とともに自動的に進行又は後退する請求項２に記載の管理システム。
【請求項４】
前記表示手段は、前記過去の時刻が前記異常が発生した時刻と一致する場合、前記レイアウト上において前記機器のアイコンを特定の態様で表示する請求項２又は３に記載の管理システム。
【請求項５】
前記記憶手段は、前記異常の発生に対して実施された異常対応作業の履歴をさらに記憶し、
前記表示手段は、前記過去の時刻が前記異常が発生した時刻と一致する場合、前記記憶手段に記憶された異常対応作業の履歴に基づいて、前記過去の時刻に発生した異常に対して実施された異常対応作業をさらに表示する請求項４に記載の管理システム。
【請求項６】
前記記憶手段は、天気の履歴をさらに記憶し、
前記表示手段は、前記記憶手段に記憶された天気の履歴に基づいて、前記過去の時刻における天気をさらに表示する請求項１から５のいずれか１項に記載の管理システム。
【請求項７】
前記記憶手段は、前記機器が属するグループの履歴をさらに記憶し、
前記表示手段は、前記記憶手段に記憶されたグループの履歴に基づいて、前記過去の時刻において前記機器が属していたグループをさらに表示する請求項１から６のいずれか１項に記載の管理システム。
【請求項８】
前記表示手段は、前記機器に関する情報を、前記レイアウトとともに表示する請求項１から７のいずれか１項に記載の管理システム。
【請求項９】
前記機器に関する情報は、前記機器の識別情報、設置位置、機種、属性を含む請求項８に記載の管理システム。
【請求項１０】
前記機器に関する情報は、前記機器に接続される配管の種類、敷設距離を含む請求項８又は９に記載の管理システム。
【請求項１１】
前記機器に関する情報は、前記機器に接続される通信線の種類、敷設距離を含む請求項８から１０のいずれか１項に記載の管理システム。
【請求項１２】
前記表示手段は、前記施設のフロアの平面図と、前記平面図に含まれる前記機器の前記過去の時刻における運転状態とを表示する請求項１から１１のいずれか１項に記載の管理システム。
【請求項１３】
前記表示手段は、現在の時刻における前記機器の運転状態を、前記施設における前記機器のレイアウトとともに表示する請求項１から１２のいずれか１項に記載の管理システム。
【請求項１４】
施設で利用される機器の運転状態の履歴を記憶する工程と、
記憶された前記運転状態の履歴に基づいて、前記機器の運転状態を、前記施設における前記機器のレイアウトとともに時系列的に表示する工程と、
を含む表示方法。
【請求項１５】
コンピュータに、
施設で利用される機器の運転状態の履歴を記憶する手順と、
記憶された前記運転状態の履歴に基づいて、前記機器の運転状態を、前記施設における前記機器のレイアウトとともに時系列的に表示する手順と、
を実行させるためのプログラム。
【国際調査報告】
2013171889.tif 000013
2013171889.tif 000014
2013171889.tif 000015
2013171889.tif 000016
2013171889.tif 000017
2013171889.tif 000018